(57)【要約】【課題】運転時に屋内に放出される翼車の騒音が小さく、かつ、屋外の騒音の侵入も少ない換気装置を得ること。【解決手段】建物外壁１の通気孔１ａを覆うように該外壁の屋外３０側に設置され、側部に排気口５ｂを有する外ケーシング５と、側部吹出口８を前記排気口に接続し正面吸込口１１を屋外側に向けて前記外ケーシング内に設置され、該外ケーシングとの間に排気流路５０を形成するスクロールケーシング９と、前記スクロールケーシング内に設置される遠心翼車６と、前記遠心翼車を駆動するモータ７と、を備え、前記通気孔、前記排気流路及び前記正面吸込口を経由して屋内の空気を前記スクロールケーシング内に吸込み、前記側部吹出口及び該側部吹出口に接続された排気口から前記空気を排気することを特徴とする。【選択図】        図１
2006343067.tif 000002
【特許請求の範囲】
【請求項１】
建物外壁の通気孔を覆うように該外壁の屋外側に設置され、側部に排気口を有する外ケーシングと、
側部吹出口を前記排気口に接続し正面吸込口を屋外側に向けて前記外ケーシング内に設置され、該外ケーシングとの間に排気流路を形成するスクロールケーシングと、
前記スクロールケーシング内に設置される遠心翼車と、
前記遠心翼車を駆動するモータと、を備え、
前記通気孔、前記排気流路及び前記正面吸込口を経由して屋内の空気を前記スクロールケーシング内に吸込み、前記側部吹出口及び該側部吹出口に接続された排気口から前記空気を排気することを特徴とする換気装置。
【請求項２】
前記外ケーシングの内壁部に、吸音材を設置したことを特徴とする請求項１に記載の換気装置。
【請求項３】
前記スクロールケーシングの正面吸込口と対向する前記外ケーシングの内壁部に吸音材を設置したことを特徴とする請求項２に記載の換気装置。
【請求項４】
前記スクロールケーシングの正面吸込口の周囲の外壁部に吸音材を設置したことを特徴とする請求項１〜３のいずれか一つに記載の換気装置。
【請求項５】
前記スクロールケーシングの内壁部に吸音材を設置したことを特徴とする請求項１〜４のいずれか一つに記載の換気装置。
【発明の詳細な説明】
【技術分野】
【０００１】
本発明は、屋内の汚れた空気を屋外に排気する換気装置に関するものである。
【背景技術】
【０００２】
従来の換気装置として、壁面等に設けた換気口（通気孔）内に固定する電動機と、前記換気口の屋外側に配設するケーシングとからなり、前記ケーシングの壁面側に遠心翼車を回転自在に支持し、前記電動機の回転軸を前記遠心翼車に着脱自在に挿入し、前記ケーシングの一側部を開口して空気吐出口を設けて空気流路を形成してなる遠心型換気扇がある（例えば、特許文献１参照）。
【０００３】
【特許文献１】実開昭６２−１０５４４２号公報（実用新案登録請求の範囲、第３頁〜第５頁、第１図）
【発明の開示】
【発明が解決しようとする課題】
【０００４】
しかしながら、上記従来の換気装置は、壁面等に設けた換気口（通気孔）の屋外側に剥き出しで遠心翼車が配設されていた。そのため、遠心翼車の回転時は、遠心翼車の風切り騒音が換気口を通して屋内に放出されるという問題があった。また、屋外の騒音が、ケーシングの空気吐出口→ケーシング内→換気口を経由して屋内へ侵入してくるという問題もあった。
【０００５】
本発明は、上記に鑑みてなされたものであって、運転時に屋内に放出される翼車の騒音が小さく、かつ、屋外の騒音の侵入も少ない換気装置を得ることを目的とする。
【課題を解決するための手段】
【０００６】
上述した課題を解決し、目的を達成するために、本発明の換気装置は、建物外壁の通気孔を覆うように該外壁の屋外側に設置され、側部に排気口を有する外ケーシングと、側部吹出口を前記排気口に接続し正面吸込口を屋外側に向けて前記外ケーシング内に設置され、該外ケーシングとの間に排気流路を形成するスクロールケーシングと、前記スクロールケーシング内に設置される遠心翼車と、前記遠心翼車を駆動するモータと、を備え、前記通気孔、前記排気流路及び前記正面吸込口を経由して屋内の空気を前記スクロールケーシング内に吸込み、前記側部吹出口及び該側部吹出口に接続された排気口から前記空気を排気することを特徴とする。
【発明の効果】
【０００７】
この発明によれば、スクロールケーシングが、外ケーシングとの間に、建物外壁の通気孔からスクロールケーシングの正面吸込口までの排気流路を形成しているので、遠心翼車の騒音及び屋外の騒音は、排気流路内を伝播する間に減衰し、運転時に屋内に放出される遠心翼車の騒音が小さく、かつ、屋外の騒音の侵入も少ない換気装置が得られる、という効果を奏する。
【発明を実施するための最良の形態】
【０００８】
以下に、本発明にかかる換気装置の実施の形態を図面に基づいて詳細に説明する。なお、この実施の形態によりこの発明が限定されるものではない。
【０００９】
実施の形態
図１は、本発明にかかる換気装置の実施の形態を示す側断面図であり、図２は、図１のＡ−Ａ線に沿う断面図であり、図３は、内壁部に吸音材を設置したスクロールケーシングの側断面図であり、図４は、吸音材の一実施の形態を示す断面図であり、図５は、吸音材の他の実施の形態を示す断面図であり、図６は、遠心翼車騒音の伝播経路を示す断面図であり、図７は、屋外騒音の伝播経路を示す断面図である。
【００１０】
図１に示すように、建物の屋内２０と屋外３０とを仕切る建物外壁１に、円形の通気孔１ａが設けられている。通気孔１ａには、通気孔１ａを補強し換気装置４０を設置するための通気孔１ａ全長に亘る円筒形の取付パイプ３が埋設されている。通気孔１ａの屋内２０側には、円筒形の取付部１４ａを取付パイプ３に嵌合させて吸込グリル１４が設置されている。
【００１１】
図１及び図２に示すように、換気装置４０の外ケーシング５は、直方体の箱状に形成され、背面５ａには円形孔が設けられ、円形孔の縁部に円筒形の取付部４が設けられていて、取付部４を通気孔１ａの屋外３０側から取付パイプ３に嵌合させ、背面５ａを建物外壁１に当接させ、通気孔１ａを覆うように建物外壁１の屋外３０側に設置される。外ケーシング５の側部としての下面には、略矩形の排気口５ｂが設けられている。
【００１２】
スクロールケーシング９は、図１に示すように側面視矩形で、図２に示すように正面視渦巻形の、外ケーシング５より一回り小さい箱状に形成され、外ケーシング５内に設置されている。スクロールケーシング９の略矩形に形成された側部吹出口８は、外ケーシング５の排気口５ｂに接続され、この接続によってスクロールケーシング９が、外ケーシング５に固定される。スクロールケーシング９は、正面９ａを屋外３０側に向けて設置され、正面９ａ中央部には、正面吸込口１１が形成されている。
【００１３】
スクロールケーシング９の背面９ｂと外ケーシング５の背面５ａとの隙間、スクロールケーシング９の側面と外ケーシング５の側面との隙間、及び、スクロールケーシング９の正面９ａと外ケーシング５の正面との隙間は、屈曲する排気流路５０となっている。
【００１４】
スクロールケーシング９の背面９ｂの中央部には、後部を通気孔１ａ内に位置させてモータ７の前端部が取付けられ、スクロールケーシング９内には、モータ７の回転軸に取付けられて駆動される遠心翼車６が設置されている。遠心翼車６の中央吸込部６ａは、スクロールケーシング９の正面吸込口１１と対向している。
【００１５】
スクロールケーシング９の正面吸込口１１と対向する外ケーシング５の内壁部には、吸音材１２が設置されている。また、スクロールケーシング９の正面吸込口１１の周囲の正面９ａの外壁部には、吸音材１３が設置されている。また、図２及び図３に示すように、スクロールケーシング９の内壁部全面に亘って吸音材１８が設置されている。
【００１６】
吸音材１２、１３、１８としては、図４に示すような、板状に形成されたグラスウール、ロックウール又は発泡ウレタンフォーム等の多孔質吸音材１５、もしくは、図５に示すような、多数の孔が設けられた薄板１６と背面空気層１７とからなる吸音材等を用いるとよい。多孔質吸音材１５を採用すれば、換気装置４０が安価となり、多数の孔が設けられた薄板１６と背面空気層１７とからなる吸音材を採用すれば、換気装置４０が耐久性の高いものとなる。
【００１７】
次に、上記のように構成した実施の形態の換気装置４０の作用を説明する。まず、図１を参照して、屋内２０の空気を屋外３０に排出する排気作用を説明する。モータ７により、遠心翼車６を回転駆動すると、屋内２０の空気は、吸込グリル１４から取付パイプ３内に流入し、モータ７と取付部４との隙間を通り、外ケーシング５内に流入する。
【００１８】
外ケーシング５内に流入した空気は、屈曲した排気流路５０を通り、スクロールケーシング９の正面吸入口１１から遠心翼車６の中央吸込部６ａ内に流入する。流入した空気は回転する遠心翼車６により遠心力を付与されて遠心翼車６の外周側へ吹出し、スクロールケーシング９により側部吹出口８に誘導され、排気口５ｂから屋外３０に排出される。
【００１９】
このとき、遠心翼車６の風切り騒音は、主に、正面吸込口１１と側部吹出口８とから放出される。側部吹出口８から放出される騒音は屋外３０に放出され、屋内２０へ伝播する騒音は、正面吸込口１１から外ケーシング５内へ放出される騒音が主となる。
【００２０】
正面吸込口１１が外ケーシング５内で屋外３０側を向いているため、正面吸込口１１から放出された騒音は、直接、屋内２０へ伝播することはなく、図６に示すように、屈曲する排気流路５０を経由して通気孔１ａの屋内２０側に到達し、吸込グリル１４の開口から屋内２０に放出される。この屈曲する排気流路５０により騒音が減衰する。
【００２１】
また、スクロールケーシング９の正面吸込口１１と対向する外ケーシング５の内壁部に設置された吸音材１２により、騒音が吸収されるとともに外ケーシング５内での反射が抑制され、さらに騒音が減衰する。また、スクロールケーシング９の正面吸込口１１の周囲の正面９ａの外壁部に設置された吸音材１３により、さらに騒音が減衰する。
【００２２】
屋外の騒音は、図７に示すように、側部吹出口８からスクロールケーシング９内へ侵入するが、図２及び図３に示すように、スクロールケーシング９の内壁部全面に亘って吸音材１８が設置されているので、吸音材１８に吸収されて減衰する。
【００２３】
また、吸音材１８に吸収されずに正面吸込口１１から外ケーシング５内に放出される屋外騒音は、上記の遠心翼車６の騒音と同様に、屈曲する排気流路５０、吸音材１２及び吸音材１３により減衰する。
【産業上の利用可能性】
【００２４】
以上のように、本発明にかかる換気装置は、静粛性が要求される学校や事務所等に設置する換気装置として有用であり、特に、屋外騒音が大きい地域の建物の換気装置に適している。
【図面の簡単な説明】
【００２５】
【図１】本発明にかかる換気装置の実施の形態を示す側断面図である。
【図２】図１のＡ−Ａ線に沿う断面図である。
【図３】内壁部に吸音材を設置したスクロールケーシングの側断面図である。
【図４】吸音材の一実施の形態を示す断面図である。
【図５】吸音材の他の実施の形態を示す断面図である。
【図６】遠心翼車騒音の伝播経路を示す断面図である。
【図７】屋外騒音の伝播経路を示す断面図である。
【符号の説明】
【００２６】
１  建物外壁
１ａ  通気孔
５  外ケーシング
５ｂ  排気口
６  遠心翼車
７  モータ
８  側部吹出口
９  スクロールケーシング
１１  正面吸込口
１２，１３，１８  吸音材
２０  屋内
３０  屋外
５０  排気流路
【図１】
2006343067.tif 000003
【図２】
2006343067.tif 000004
【図３】
2006343067.tif 000005
【図４】
2006343067.tif 000006
【図５】
2006343067.tif 000007
【図６】
2006343067.tif 000008
【図７】
2006343067.tif 000009